(57)【要約】【課題】照明素子の制御内容を容易にユーザ好みのものにすることができる照明装置を提供する。【解決手段】照明装置１０は、本体１１と、本体１１に取り付けられた照明素子３０と、照明設定部４０から照明素子３０を所定のモードで動作させるための指示を受けることで第１の制御内容で照明素子３０を動作させ、次に前記指示を受けることで、照明設定部４０に入力された第１の制御内容に対するユーザの感想を示す第１主観的情報に基づく第２の制御内容で照明素子３０を動作させる制御部２０と、を備える。【選択図】図１
2018032565.tif 000002
【特許請求の範囲】
【請求項１】
本体と、
前記本体に取り付けられた照明素子と、
照明設定部から前記照明素子を所定のモードで動作させるための指示を受けることで第１の制御内容で前記照明素子を動作させ、次に前記指示を受けることで、前記照明設定部に入力された前記第１の制御内容に対するユーザの感想を示す第１主観的情報に基づく第２の制御内容で前記照明素子を動作させる制御部と、を備える
照明装置。
【請求項２】
前記照明設定部は、入力部を有し、
前記制御部は、前記入力部が予め決められた操作を受けることで、前記指示を前記照明設定部から受ける
請求項１に記載の照明装置。
【請求項３】
前記照明設定部は、表示部を有し、
前記表示部は、前記制御部が前記照明素子を前記第１の制御内容で動作させた後に、ユーザに前記第１主観的情報を入力させるための表示をする
請求項１又は２に記載の照明装置。
【請求項４】
前記表示部は、前記制御部が前記照明素子を前記第２の制御内容で動作させた後に、ユーザに前記第２の制御内容に対するユーザの感想を示す第２主観的情報を入力させるための表示をし、
当該表示には、前記制御部が前記照明素子を前記第１の制御内容で動作させた後に入力された前記第１主観的情報が含まれる
請求項３に記載の照明装置。
【請求項５】
前記所定のモードは、ユーザの起床予定時刻前に前記照明素子を特定の制御内容で動作させる起床モード、若しくは、ユーザの就寝予定時刻前に前記照明素子を特定の制御内容で動作させる就寝モード、又は、前記起床モード及び前記就寝モードの両方を含むモードである
請求項１〜４のいずれか１項に記載の照明装置。
【請求項６】
前記照明素子は、前記本体が建築物に取り付けられる方向である背面側を照明する第１の照明素子から構成される
請求項１〜５のいずれか１項に記載の照明装置。
【請求項７】
前記照明素子は、さらに、第２の照明素子から構成され、
前記第１の照明素子及び前記第２の照明素子は、それぞれ独立して調色可能な照明素子である
請求項６に記載の照明装置。
【請求項８】
前記第２の照明素子は、前記背面側を照明する
請求項７に記載の照明装置。
【請求項９】
前記照明素子は、さらに、前記背面側とは反対の方向である前面側を照明する第３の照明素子から構成される
請求項７又は８に記載の照明装置。
【請求項１０】
前記制御部は、前記所定のモードにおいて、前記第１の照明素子及び前記第２の照明素子の少なくとも一方を駆動させ、前記第３の照明素子を駆動させない
請求項９に記載の照明装置。
【請求項１１】
前記制御部は、前記所定のモードにおいて、前記第１の照明素子及び前記第２の照明素子の少なくとも一方を駆動させ、前記第３の照明素子の明るさを徐々に低下させる
請求項９に記載の照明装置。
【請求項１２】
前記制御部は、前記所定のモードにおいて、前記第１の照明素子及び前記第２の照明素子の少なくとも一方を駆動させ、前記第３の照明素子の明るさを徐々に上昇させる
請求項９に記載の照明装置。
【請求項１３】
前記制御部は、
前記第１主観的情報にユーザの好みの光が間接光であることを示す情報が含まれている場合には、前記第２の制御内容として、前記第３の照明素子の明るさを、前記第１の照明素子及び前記第２の照明素子の少なくとも一方の明るさよりも暗くし、
前記第１主観的情報にユーザの好みの光が間接光でないことを示す情報が含まれている場合には、前記第２の制御内容として、前記第３の照明素子の明るさを、前記第１の照明素子及び前記第２の照明素子の少なくとも一方の明るさよりも明るくする
請求項９〜１２のいずれか１項に記載の照明装置。
【請求項１４】
前記制御部は、前記第１主観的情報にユーザが目覚めるときの前記照明素子が暗すぎることを示す情報が含まれている場合には、前記第１の照明素子及び前記第２の照明素子のうちの青色成分が少ない光を出力する照明素子に比べ、青色成分が多い光を出力する照明素子の、前記第１の制御内容での明るさに対する前記第２の制御内容での明るさの上昇率を大きくする
請求項７〜１３のいずれか１項に記載の照明装置。
【請求項１５】
請求項１〜１４のいずれか１項に記載の照明装置と、
前記照明装置に無線又は有線により接続された前記照明設定部と、を備える
照明システム。
【請求項１６】
前記照明設定部は、携帯端末である
請求項１５に記載の照明システム。
【発明の詳細な説明】
【技術分野】
【０００１】
本発明は、住居又は宿泊施設等に用いられる照明装置及びそれを用いた照明システムに関する。
【背景技術】
【０００２】
従来、ユーザの好みに合わせた制御内容で照明素子を制御する照明装置が提案されている。当該照明装置は、当該照明装置が設置されている部屋を単に明るくするだけではなく、ユーザが照明装置に指示した命令に応じて、例えば照明素子の明るさを時刻に応じて変化させることができる。特許文献１には、このような照明装置に関する技術が記載されている。
【先行技術文献】
【特許文献】
【０００３】
【特許文献１】特開２０１６−５８３４５号公報
【発明の概要】
【発明が解決しようとする課題】
【０００４】
しかしながら、ユーザが指示した命令に応じた照明素子の実際の制御内容は、ユーザが実際に体感してみないとユーザ好みのものかどうかわかないため、ユーザの好みの制御内容になっていないことがある。例えば、ユーザは、起床予定時刻の所定時間（数分）前から照明素子がユーザ好みの動作をすることでユーザに快適な目覚めをもたらすために、ある命令を照明装置に指示したとする。しかし、ユーザが起床予定時刻の所定時間前から当該ある命令に対応する照明素子の制御内容を体感したときに、当該制御内容がユーザ好みのものになっておらず快適に目覚められないことがある。そして、ユーザはどのようなパラメータをどの程度変化させれば制御内容がユーザ好みのものになるかわからないため、制御内容をユーザ好みのものにするためにユーザ自身で細かく制御内容を調整することは難しい。
【０００５】
そこで、本発明は、照明素子の制御内容を容易にユーザ好みのものにすることができる照明装置及び照明システムを提供することを目的とする。
【課題を解決するための手段】
【０００６】
本発明の一態様に係る照明装置は、本体と、前記本体に取り付けられた照明素子と、照明設定部から前記照明素子を所定のモードで動作させるための指示を受けることで第１の制御内容で前記照明素子を動作させ、次に前記指示を受けることで、前記照明設定部に入力された前記第１の制御内容に対するユーザの感想を示す第１主観的情報に基づく第２の制御内容で前記照明素子を動作させる制御部と、を備える。
【０００７】
本発明の一態様に係る照明システムは、上記の照明装置と、前記照明装置に無線又は有線により接続された前記照明設定部と、を備える。
【発明の効果】
【０００８】
本発明の一態様に係る照明装置及び照明システムによれば、照明素子の制御内容を容易にユーザ好みのものにすることができる。
【図面の簡単な説明】
【０００９】
【図１】図１は、実施の形態に係る照明システムの一例を示す構成図である。
【図２】図２は、実施の形態に係る照明システムの適用例を示す図である。
【図３】図３は、実施の形態に係る照明装置の動作の一例を示すフローチャートである。
【図４】図４は、実施の形態に係る照明装置の起床モードにおける照明素子の明るさに関する制御内容の一例を示す図である。
【図５】図５は、実施の形態に係る表示部の表示の一例を示す図である。
【図６】図６は、実施の形態に係る表示部の表示の他の例を示す図である。
【図７】図７は、実施の形態に係る表示部の表示において詳細な主観的情報を入力できることを示す図である。
【図８】図８は、実施の形態に係る照明装置の外観を示す斜視図である。
【図９】図９は、実施の形態に係る照明装置の起床モードにおける第１の照明素子及び第２の照明素子の明るさに関する制御内容の一例を示す図である。
【図１０】図１０は、実施の形態に係る表示部の表示において間接光及び全般光の好みに関する主観的情報を入力できることを示す図である。
【図１１】図１１は、実施の形態に係る照明装置の就寝モードにおける第２の照明素子及び第３の照明素子の明るさに関する制御内容の一例を示す図である。
【図１２】図１２は、実施の形態に係る照明装置の就寝モードにおける第２の照明素子及び第３の照明素子の明るさに関する制御内容の一例を示す図である。
【図１３】図１３は、実施の形態に係る照明装置の就寝モードにおける第２の照明素子及び第３の照明素子の明るさに関する制御内容の一例を示す図である。
【図１４】図１４は、実施の形態に係る照明装置の起床モードにおける第２の照明素子及び第３の照明素子の明るさに関する制御内容の一例を示す図である。
【図１５】図１５は、実施の形態に係る照明装置の起床モードにおける第１の照明素子及び第２の照明素子の明るさ及び色温度に関する制御内容の一例を示す図である。
【図１６】図１６は、実施の形態に係る表示部の表示において色の鮮やかさに関する主観的情報を入力できることを示す図である。
【図１７】図１７は、実施の形態に係る照明装置の起床モードにおける第１の照明素子及び第２の照明素子の彩度に関する制御内容の一例を示す図である。
【図１８】図１８は、実施の形態に係る表示部の表示において明るさのゆらぎに関する主観的情報を入力できることを示す図である。
【図１９】図１９は、実施の形態に係る照明装置の照明素子の明るさのゆらぎに関する制御内容の一例を示す図である。
【図２０】図２０は、実施の形態に係る表示部の表示において色のゆらぎに関する主観的情報を入力できることを示す図である。
【図２１】図２１は、実施の形態に係る照明装置の照明素子の色のゆらぎに関する制御内容の一例を示す図である。
【発明を実施するための形態】
【００１０】
以下では、本発明の実施の形態について、図面を用いて詳細に説明する。なお、以下に説明する実施の形態は、いずれも本発明の好ましい一具体例を示すものである。従って、以下の実施の形態で示される数値、構成要素、構成要素の配置及び接続形態、並びに、ステップ（工程）及びステップの順序等は、一例であり、本発明を限定する趣旨ではない。よって、以下の実施の形態における構成要素のうち、本発明の最上位概念を示す独立請求項に記載されていない構成要素については、任意の構成要素として説明される。
【００１１】
また、各図は、模式図であり、必ずしも厳密に図示されたものではない。また、各図において、同じ構成要素については同じ符号を付している。
【００１２】
（実施の形態）
以下、実施の形態について、図１から図２１を用いて説明する。
【００１３】
［照明システムの構成］
図１は、実施の形態に係る照明システム１の一例を示す構成図である。
【００１４】
照明システム１は、照明装置１０及び照明装置１０に無線又は有線により接続された照明設定部４０を備える。照明システム１は、照明設定部４０を介して照明装置１０が有する照明素子３０の制御内容を変更できるシステムである。ここで、制御内容とは、例えば、照明素子３０が出力する光の明るさ、色温度又は彩度の時刻に応じた変化を示すものである。また、制御内容とは、照明素子３０が出力する光の明るさ及び色の時刻に応じたゆらぎを示すものであってもよい。なお、以下では、照明素子３０（後述する第１の照明素子３１、第２の照明素子３２及び第３の照明素子３３）が出力する光の明るさ、色温度、彩度及び色を、単に、照明素子３０の明るさ、色温度、彩度及び色とも呼ぶ。
【００１５】
照明装置１０は、制御部２０及び照明素子３０を備える。照明装置１０は、所定のモードで動作可能な装置である。所定のモードは、例えば、ユーザの起床予定時刻前に照明素子３０を特定の制御内容で動作させる起床モード、若しくは、ユーザの就寝予定時刻前に照明素子３０を特定の制御内容で動作させる就寝モード、又は、その両方を含むモードのことである。本実施の形態では、所定のモードはその両方を含むモードであるとする。照明装置１０は、起床モードで動作する際には、ユーザに快適な目覚めをもたらすことができるような制御内容で照明素子３０を動作させ、就寝モードで動作する際には、ユーザの寝付きを良くすることができるような制御内容で照明素子３０を動作させることができる。
【００１６】
制御部２０は、照明設定部４０から照明素子３０を所定のモードで動作させるための指示を受けたときに第１の制御内容で照明素子３０を動作させ、次に当該指示を受けたときに、照明設定部４０に入力された第１の制御内容に対するユーザの感想を示す情報である第１主観的情報に基づく第２の制御内容で照明素子３０を動作させる。制御部２０の動作の詳細については後述する。制御部２０は、例えば、照明装置１０が備える記憶部（図示せず）に記憶された制御プログラムを実行するプロセッサ等により実現されるが、マイクロコンピュータ又は専用回路等により実現されてもよい。
【００１７】
照明素子３０は、第１の照明素子３１、第２の照明素子３２及び第３の照明素子３３から構成される。第１の照明素子３１、第２の照明素子３２及び第３の照明素子３３は、それぞれ独立して調光及び調色が可能な照明素子である。光出力が制御部２０に調整されることで第１の照明素子３１、第２の照明素子３２及び第３の照明素子３３は調光される。また、第１の照明素子３１、第２の照明素子３２及び第３の照明素子３３はそれぞれ、例えば、互いに色温度の異なる複数の光源を備える。当該複数の光源は、例えば、青色ＬＥＤ及び黄色蛍光体で構成された光源であり、当該複数の光源のそれぞれの光出力の比が制御部２０に調整されることで第１の照明素子３１、第２の照明素子３２及び第３の照明素子３３は調色される。なお、当該複数の光源は、例えば、近紫外ＬＥＤ及びＲＧＢ蛍光体で構成された光源であってもよい。また、第１の照明素子３１、第２の照明素子３２及び第３の照明素子３３はそれぞれ、例えば、赤色ＬＥＤ、緑色ＬＥＤ及び青色ＬＥＤで構成されてもよく、赤色ＬＥＤ、緑色ＬＥＤ及び青色ＬＥＤの光出力の比が制御部２０に調整されることで第１の照明素子３１、第２の照明素子３２及び第３の照明素子３３は調色されてもよい。つまり、第１の照明素子３１、第２の照明素子３２及び第３の照明素子３３はそれぞれ、独立して調色可能な照明素子であれば構成は特に限定されない。
【００１８】
なお、以下では、第１の照明素子３１、第２の照明素子３２及び第３の照明素子３３をまとめて照明素子３０として説明するが、これらのうちのいずれか１つのみ、２つのみ、若しくは３つ全てが以下で説明する照明素子３０の動作をしてもよい。
【００１９】
照明設定部４０は、照明装置１０を操作するための、例えばスマートフォン若しくはタブレット等の携帯端末又はリモコン等である。照明設定部４０は、入力部４１及び表示部４２を有する。入力部４１は、ユーザの操作を受け付ける、ボタン又はタッチパネル等のユーザインタフェースである。表示部４２は、例えば、液晶ディスプレイ又はタッチパネルディスプレイ等である。なお、表示部４２がタッチパネルディスプレイの場合、表示部４２は入力部４１の機能を有していてもよい。ここでは、表示部４２がタッチパネルディスプレイであるとして、入力部４１の機能も有しているとする。表示部４２には、照明素子３０を所定のモードで動作させるための指示を照明装置１０に送信するためのアイコンが表示される。図２に示されるように、ユーザは、照明装置１０を所定のモードで動作させるために、アイコンをタップする等の予め決められた操作を入力部４１（表示部４２）に対して例えば就寝前に行う。図２は、実施の形態に係る照明システムの適用例を示す図である。
【００２０】
このとき、例えば、起床予定時刻又は就寝予定時刻が照明設定部４０に入力されてもよい。これにより、照明装置１０は、起床予定時刻の例えば所定時間（例えば数分）前から起床モードに対応した制御内容で照明素子３０を動作させ、就寝予定時刻の例えば所定時間前から就寝モードに対応した制御内容で照明素子３０を動作させる。なお、起床予定時刻又は就寝予定時刻は毎日入力されなくてもよく、これらが入力されない場合、照明装置１０は、前回入力された起床予定時刻又は就寝予定時刻の所定時間前から照明素子３０を動作させてもよい。また、表示部４２が入力部４１の機能を有さない場合には、照明設定部４０は、入力部４１として照明素子３０を所定のモードで動作させるための専用のボタン等を有していてもよい。また、照明設定部４０は、ユーザの入力部４１への操作がなくても、照明素子３０を所定のモードで動作させるための指示を照明装置１０に送信してもよい。この場合、照明設定部４０は例えばタイマー機能を有し、予め定められた時刻に照明素子３０を所定のモードで動作させるための指示を照明装置１０に送信する。
【００２１】
［照明装置の基本的な動作］
次に、照明装置１０の基本的な動作について説明する。なお、上述したように、本実施の形態では、所定のモードは起床モード及び就寝モードの両方を含むモードであるとする。
【００２２】
図３は、実施の形態に係る照明装置１０の動作の一例を示すフローチャートである。
【００２３】
まず、制御部２０は、照明設定部４０から照明素子３０を所定のモードで動作させるための指示を受ける（ステップＳ１１）。例えば、ユーザから入力部４１が予め決められた操作（例えばアイコンのタップ又はボタンの押下等）を受けることで、照明設定部４０は当該指示を照明装置１０に送信し、制御部２０は、当該指示を照明設定部４０から受ける。なお、当該指示には、制御部２０が照明素子３０を起床モード及び就寝モードにおいて第１の制御内容で動作させるための第１の情報が含まれているとする。
【００２４】
次に、制御部２０は、第１の制御内容で照明素子３０を動作させる（ステップＳ１２）。ここで、制御部２０による照明素子３０の制御内容について、起床モードでの制御内容に着目して、図４を用いて説明する。
【００２５】
図４は、実施の形態に係る照明装置１０の起床モードにおける照明素子３０の明るさに関する制御内容の一例を示す図である。
【００２６】
制御部２０は、図４に示される細い実線（第１の制御内容）で照明素子３０を動作させる。予め定められた起床予定時刻は例えばＡＭ７：００であり、制御部２０は、第１の制御内容として、当該起床予定時刻の所定時間前として例えば１０分前から照明素子３０の明るさを特定の明るさに向けて徐々に明るくする。そして、制御部２０は、起床予定時刻以降に照明素子３０の明るさが特定の明るさになるようにする。照明素子３０の明るさが起床予定時刻に瞬時に特定の明るさになる場合、ユーザに快適な目覚めをもたらさないことが多いが、起床予定時刻の所定時間前から照明素子３０の明るさが徐々に明るくなる場合、ユーザに快適な目覚めをもたらしやすくなる。また、図示していないが、就寝予定時刻の所定時間前から照明素子３０の明るさが徐々に暗くなる場合、ユーザの寝付きを良くしやすくなる。
【００２７】
しかしながら、ユーザに快適な目覚めをもたらすための制御内容及びユーザの寝付きを良くするための制御内容は、人の好みによって異なる。例えば、起床予定時刻の所定時間前に寝室がやや明るいほうが快適に目覚められる人もいれば寝室がやや暗いほうが快適に目覚められる人もいる。
【００２８】
そこで、照明設定部４０（表示部４２）は、制御部２０が照明素子３０を第１の制御内容で動作させた後（例えばユーザが目覚めた後）に、ユーザに第１主観的情報を入力させるための表示をする。ユーザに第１主観的情報を入力させるための表示とは、表示部４２に表示された入力画面のことである。ここで、第１主観的情報について、図５を用いて説明する。
【００２９】
図５は、実施の形態に係る表示部４２の表示の一例を示す図である。
【００３０】
主観的情報とは、制御内容に対するユーザの感想を示す情報であり、第１主観的情報は、第１の制御内容に対するユーザの感想を示す主観的情報である。具体的には、ユーザは、図５において「目覚め」と示される箇所の「明るすぎた」、「暗すぎた」及び「問題なかった」と書かれたアイコンのいずれかを選択することで、起床モードでの照明素子３０の第１の制御内容に対する感想を入力する。同様に、ユーザは、図５において「お休み前」と示される箇所の「明るすぎた」、「暗すぎた」及び「問題なかった」と書かれたアイコンのいずれかを選択することで、就寝モードでの照明素子３０の第１の制御内容に対する感想を入力する。また、ユーザは、図５において「気分」と示される箇所の「不快」、「やや悪い」、「ふつう」、「やや良い」及び「快適」と書かれたアイコンのいずれかを選択することで、就寝モードでの照明素子３０の第１の制御内容及び起床モードでの照明素子３０の第１の制御内容を体感した上での現在の気分を入力する。ここでは、図５においてハッチングを付して示しているように、例えば、現在の気分が「やや悪い」、起床モードでの照明素子３０の明るさが「暗すぎた」、就寝モードでの照明素子３０の明るさが「問題なかった」が入力されたとする。
【００３１】
そして、ユーザが第１主観的情報を入力した後の、例えばその日の夜に、ユーザが照明設定部４０の入力部４１に対して予め決められた操作をすることで、照明設定部４０は照明素子３０を所定のモードで動作させるための指示を照明装置１０に送信する。このとき、ユーザは前日の夜と同じ予め決められた操作（例えばアイコンのタップ又はボタンの押下等）をしているが、照明設定部４０は、第１の情報と異なる第２の情報を含む当該指示を照明装置１０に送信する。第２の情報は、第１主観的情報に基づく情報である。具体的には、第１主観的情報として、起床モードでの照明素子３０の明るさが「暗すぎた」、就寝モードでの照明素子３０の明るさが「問題なかった」という情報が入力されたため、第２の情報は、制御部２０が起床モードでの第２の制御内容において照明素子３０の明るさを第１の制御内容におけるものよりも明るくし、就寝モードでの第２の制御内容において照明素子３０の明るさを第１の制御内容におけるものと同じにするための情報となる。
【００３２】
なお、第１主観的情報として、起床モードでの照明素子３０の明るさが「明るすぎた」という情報が入力された場合には、第２の情報は、制御部２０が起床モードでの第２の制御内容において照明素子３０の明るさを第１の制御内容におけるものよりも暗くするための情報となる。第１主観的情報として、起床モードでの照明素子３０の明るさが「問題なかった」という情報が入力された場合には、第２の情報は、制御部２０が起床モードでの第２の制御内容において照明素子３０の明るさを第１の制御内容におけるものと同じにするための情報となる。
【００３３】
同様に、第１主観的情報として、就寝モードでの照明素子３０の明るさが「明るすぎた」という情報が入力された場合には、第２の情報は、制御部２０が就寝モードでの第２の制御内容において照明素子３０の明るさを第１の制御内容におけるものよりも暗くするための情報となる。第１主観的情報として、就寝モードでの照明素子３０の明るさが「暗すぎた」という情報が入力された場合には、第２の情報は、制御部２０が就寝モードでの第２の制御内容において照明素子３０の明るさを第１の制御内容におけるものよりも明るくするための情報となる。
【００３４】
また、第２の制御内容において照明素子３０の明るさを第１の制御内容におけるものよりも、どの程度明るく若しくは暗くするかは、例えば、選択された現在の気分に応じて決められる。具体的には、図５において「気分」と示される箇所の「不快」に近いものが選択されるほど、第２の制御内容において照明素子３０の明るさを第１の制御内容におけるものよりも、より明るく若しくはより暗くされる。例えば、起床モードでの照明素子３０の第１の制御内容が「暗すぎた」と入力された場合に、現在の気分が「やや悪い」と入力されたときよりも「不快」と入力されたときの方が、起床モードでの第２の制御内容において照明素子３０の明るさはより明るくされる。なお、「快適」が選択された場合には、起床モード及び就寝モード共に第１の制御内容における照明素子３０の明るさに問題がなかったとして、起床モード及び就寝モードにおける第１の制御内容に対する感想を入力できないようにされてもよい。具体的には、図５において「目覚め」及び「お休み前」と示される箇所の各アイコンがグレーアウトされてもよい。この場合、第１主観的情報として、起床モード及び就寝モードでの照明素子３０の明るさが「問題なかった」という情報が入力されたとみなして、第２の情報は、制御部２０が起床モード及び就寝モードでの第２の制御内容において照明素子３０の明るさを第１の制御内容におけるものと同じにするための情報となる。
【００３５】
制御部２０は、第１主観的情報が入力された照明設定部４０から照明素子３０を所定のモードで動作させるための指示を受ける（ステップＳ１３）。当該指示には、上述したように、第２の情報が含まれる。
【００３６】
そして、制御部２０は、第１主観的情報に基づく第２の制御内容で照明素子３０を動作させる（ステップＳ１４）。制御部２０は、図４に示される太い実線（第２の制御内容）で照明素子３０を動作させる。制御部２０は、第２の制御内容として、起床予定時刻の所定時間前から、第１の制御内容よりも明るさがより早く明るくなるように照明素子３０の明るさを徐々に明るくする。また、起床予定時刻以降の照明素子３０の明るさを第１の制御内容におけるものよりも明るくする。このように、第１主観的情報を反映した第２の制御内容で照明素子３０が動作させられるため、ユーザに快適な目覚めをもたらしやすくなる。
【００３７】
しかしながら、第１主観的情報を反映した第２の制御内容でもユーザの目覚めが快適なものにならない場合がある。そこで、照明設定部４０（表示部４２）は、制御部２０が照明素子３０を第２の制御内容で動作させた後に、ユーザに第２主観的情報を入力させるための表示をする。ここで、第２主観的情報について、図６を用いて説明する。
【００３８】
図６は、実施の形態に係る表示部４２の表示の他の例を示す図である。
【００３９】
第２主観的情報とは、第２の制御内容に対するユーザの感想を示す主観的情報である。なお、ユーザに第２主観的情報を入力させるための表示には、制御部２０が照明素子３０を第１の制御内容で動作させた後に入力された第１主観的情報が含まれる。例えば、図６に示されるように、表示部４２の上側に第１主観的情報が表示される。
【００４０】
図６に示されるように、例えば昨日の第１の制御内容に対する第１主観的情報が比較対象として表示されることで、ユーザは、第１の制御内容よりも第２の制御内容が良かったか否かを判断しやすくなる。なお、例えば日々行われる制御内容のうちの１つの制御内容とその次に行われる制御内容とをそれぞれ第１の制御内容及び第２の制御内容と呼んでいる。つまり、第１の制御内容は、第１の制御内容の前回に行われた制御内容（例えば前制御内容と呼ぶ）に対するユーザの感想を示す主観的情報（例えば前主観的情報と呼ぶ）に基づく制御内容である。したがって、図６に示されるように、表示部４２は、制御部２０が照明素子３０を第１の制御内容で動作させた後に、ユーザに第１の制御内容に対するユーザの感想を示す第１主観的情報を入力させるための表示をし、当該表示には、制御部２０が照明素子３０を前制御内容で動作させた後に入力された前主観的情報が含まれていてもよい。
【００４１】
そして、ユーザが第２主観的情報を入力した後の、例えばその日の夜に、ユーザが照明設定部４０の入力部４１に対して予め決められた操作をすることで、照明設定部４０は照明素子３０を所定のモードで動作させるための指示を照明装置１０に送信し、制御部２０は、第２主観的情報に基づく制御内容で照明素子３０を動作させる。このように、前回の制御内容に対して今回の制御内容が良かったか否かをユーザが日々、主観的情報を照明設定部４０に入力することで、照明素子３０の所定のモードにおける制御内容は、ユーザの好みのものに近づいていく。
【００４２】
なお、照明装置１０が、照明設定部４０に主観的情報が全く入力されていない状態（例えば初回起動後の状態）で、初めて照明設定部４０から照明素子３０を所定のモードで動作させるための指示を受けた場合には、所定のモードにおける照明素子３０の制御内容は、例えば照明メーカーによって予め定められた制御内容となる。
【００４３】
また、起床モード及び就寝モードでの照明素子３０の第１の制御内容に対する感想として、照明素子３０が明るすぎたか、暗すぎたか、問題なかったかだけでなく、さらに、起床予定時刻前及び就寝予定時刻前のどのあたりのタイミングにおいてどの程度明るかったか又は暗かったかを入力できるようにしてもよい。これについて図７を用いて説明する。
【００４４】
図７は、実施の形態に係る表示部４２の表示において詳細な主観的情報を入力できることを示す図である。
【００４５】
図７に示されるように、例えばユーザが起床モードでの照明素子３０が「明るすぎた」と選択した場合、表示部４２の表示は、さらに、起床予定時刻前のどのあたりのタイミングにおいて照明素子３０が明るすぎたかを入力させるための表示に切り替わる。例えば、タイミングとして「照明の点灯し始め」が選択されたとする。次に、表示部４２の表示は、さらに、どの程度明るすぎたのかを入力させるための表示に切り替わる。例えば、程度として「やや、明るすぎる」が選択されたとする。これにより、起床モードにおける照明素子３０の点灯し始めにおいて、照明素子３０の明るさがやや暗くさせられる。このように、特定のタイミングにおいて明るさの変化の度合いを細かく調整できるため、第２の制御内容をよりユーザ好みのものに近づけることができる。言い換えると、前回の制御内容（第１の制御内容）に対して今回の制御内容（第２の制御内容）をよりユーザ好みのものに近づけることができる。なお、ここでは、一例として２つのタイミング及び２段階の明るさの程度が表示されているが、これに限らず、３つ以上のタイミング及び３段階以上の明るさの程度が表示されてもよい。
【００４６】
なお、上述したように照明素子３０は第１の照明素子３１、第２の照明素子３２及び第３の照明素子３３から構成される。ここで、第１の照明素子３１、第２の照明素子３２及び第３の照明素子３３の違いについて図８を用いて説明する。
【００４７】
図８は、実施の形態に係る照明装置１０の外観を示す斜視図である。
【００４８】
図８に示されるように、照明装置１０は例えばシーリングライトであり、本体１１を備える。本体１１には、第１の照明素子３１、第２の照明素子３２及び第３の照明素子３３から構成される照明素子３０が取り付けられている。第１の照明素子３１は、本体１１が建築物に取り付けられる方向である背面側（例えば天井側）を照明するように本体１１に取り付けられる。つまり、第１の照明素子３１が出力する光は天井等で反射されて間接光となる。第２の照明素子３２も背面側を照明するように本体１１に取り付けられるため、第２の照明素子３２が出力する光も間接光となる。第３の照明素子３３は、背面側とは反対の方向である前面側（床側）を照明するように本体１１に取り付けられる。つまり、第３の照明素子３３が出力する光は直接部屋内を照明する全般光（直接光）となる。
【００４９】
また、第１の照明素子３１、第２の照明素子３２及び第３の照明素子３３のうち、所定のモードにおいて消灯させられるものがあってもよい。例えば、所定のモードにおいて第３の照明素子３３が消灯させられてもよい。さらに、第１の照明素子３１及び第２の照明素子３２がそれぞれ異なる制御内容で動作させられてもよい。以下、照明装置１０の動作例１として、所定のモードにおいて、第３の照明素子３３が消灯させられ、第１の照明素子３１及び第２の照明素子３２がそれぞれ異なる制御内容で動作させられる例について説明する。
【００５０】
［照明装置の動作例１］
上述したように、第１の照明素子３１及び第２の照明素子３２は、それぞれ独立して調色可能な照明素子である。例えば、第１の照明素子３１は、色温度が高い寒色系の光を出力し、第２の照明素子３２は、色温度が低い暖色系の光を出力する。所定のモードとして例えば起床モードにおいて第１の照明素子３１及び第２の照明素子３２がそれぞれ動作させられる制御内容について、図９を用いて説明する。
【００５１】
図９は、実施の形態に係る照明装置１０の起床モードにおける第１の照明素子３１及び第２の照明素子３２の明るさに関する制御内容の一例を示す図である。
【００５２】
制御部２０は、図９に示される細い実線のように第１の照明素子３１を第１の制御内容で動作させ、細い破線のように第２の照明素子３２を第１の制御内容で動作させる。例えば、第１の照明素子３１よりも第２の照明素子３２の方が明るくなるようにそれぞれ異なる第１の制御内容で動作させられることで、間接光によって、朝焼け又は夕暮れのようなグラデーションを作り出すことができる。
【００５３】
そして、ユーザが第１の照明素子３１及び第２の照明素子３２の第１の制御内容を体感した後に、暗すぎることを示す第１主観的情報を照明設定部４０に入力した場合、制御部２０は、図９に示される太い実線のように第１の照明素子３１を第２の制御内容で動作させ、太い破線のように第２の照明素子３２を第２の制御内容で動作させる。第１の照明素子３１及び第２の照明素子３２は、暗すぎるという第１主観的情報に基づいてそれぞれ第１の制御内容よりも明るくなり、かつ、第１の照明素子３１よりも第２の照明素子３２の方が明るくなるような第２の制御内容で動作させられる。これにより、グラデーションを作り出しつつ、制御内容をユーザの好みのものに近づけることができる。
【００５４】
なお、第３の照明素子３３が点灯させられてもよい。第３の照明素子３３も独立して調色可能な照明素子であるため、第１の照明素子３１、第２の照明素子３２及び第３の照明素子３３により、多岐にわたるグラデーションを作り出すことができる。
【００５５】
次に、照明装置１０の動作例２として、所定のモードにおいて、第１の照明素子３１が消灯させられ、第２の照明素子３２及び第３の照明素子３３がそれぞれ異なる制御内容で動作させられる例について説明する。
【００５６】
［照明装置の動作例２］
上述したように、第２の照明素子３２は、背面側を照明するように本体１１に取り付けられ、第２の照明素子３２が出力する光は間接光となる。第３の照明素子３３は、前面側を照明するように本体１１に取り付けられ、第３の照明素子３３が出力する光は全般光となる。つまり、ユーザに快適な目覚めをもたらすことができるような制御内容、及びユーザの寝付きを良くすることができるような制御内容を全般光及び間接光により実現できる。また、ユーザの好みとして、間接光及び全般光のどちらが好きかを制御内容に反映するために、図１０に示されるように、表示部４２は、ユーザに間接光及び全般光のどちらが好きかを入力させるための表示をしてもよい。
【００５７】
図１０は、実施の形態に係る表示部４２の表示において間接光及び全般光の好みに関する主観的情報を入力できることを示す図である。なお、図１０は、第１の制御内容で第２の照明素子３２及び第３の照明素子３３が動作させられた後の表示部４２の表示を示している。図１０に示される表示には、ユーザが第１主観的情報を入力しやすいように、前主観的情報が表示部４２の上側に含まれている。図１０に示されるように、例えば「間接光が好き」及び「全般光が好き」と書かれたアイコンのいずれかが選択されることで、第１主観的情報としてユーザの好みの光が間接光であるか否かが入力される。
【００５８】
ここで、就寝モード又は起床モードにおける第２の照明素子３２及び第３の照明素子３３の明るさに関する制御内容の例を図１１〜図１４を用いて説明する。
【００５９】
図１１〜図１３は、実施の形態に係る照明装置１０の就寝モードにおける第２の照明素子３２及び第３の照明素子３３の明るさに関する制御内容の一例を示す図である。図１４は、実施の形態に係る照明装置１０の就寝モードにおける第２の照明素子３２及び第３の照明素子３３の明るさに関する制御内容の一例を示す図である。なお、図１１〜図１４では、第３の照明素子３３の第１の制御内容の図示を省略している。動作例２において、制御部２０は、第１主観的情報にユーザの好みの光が間接光であることを示す情報が含まれている場合には、第２の制御内容として、第３の照明素子３３の明るさを、第１の照明素子３１及び第２の照明素子３２の少なくとも一方の明るさよりも暗くする。動作例２では、第１の照明素子３１が消灯させられているため、制御部２０は、第２の制御内容として、第３の照明素子３３の明るさを、第２の照明素子３２の明るさよりも暗くする。また、動作例２において、制御部２０は、第１主観的情報にユーザの好みの光が間接光でない（全般光である）ことを示す情報が含まれている場合には、第２の制御内容として、第３の照明素子３３の明るさを、第１の照明素子３１及び第２の照明素子３２の少なくとも一方の明るさよりも明るくする。動作例２では、第１の照明素子３１が消灯させられているため、制御部２０は、第２の制御内容として、第３の照明素子３３の明るさを、第２の照明素子３２の明るさよりも明るくする。
【００６０】
図１１は、第１主観的情報としてユーザの好みの光が間接光であることと、明るさが明るすぎたことが入力されたときの就寝モードにおける第２の照明素子３２及び第３の照明素子３３の明るさに関する制御内容の一例を示している。制御部２０は、例えば、所定のモード（就寝モード）において、第１の照明素子３１及び第２の照明素子３２の少なくとも一方を駆動（点灯）させ、第３の照明素子３３の明るさを徐々に低下させる。ここでは、第１の照明素子３１が消灯させられているため、制御部２０は、第２の照明素子３２を駆動させ、第３の照明素子３３の明るさを徐々に低下させる。一例として、制御部２０は、就寝予定時刻の数分前（ＰＭ１０：４０過ぎ）から、第３の照明素子３３の明るさを徐々に低下させている。制御部２０は、第１主観的情報にユーザの好みの光が間接光であることを示す情報が含まれているため、第２の制御内容として、就寝予定時刻（ＰＭ１１：００）以降に、第３の照明素子３３の明るさを第２の照明素子３２の明るさよりも暗くする。また、第１主観的情報に明るさが明るすぎることを示す情報が含まれているため、制御部２０は、第２の制御内容として、第２の照明素子３２の明るさを第１の制御内容におけるものよりも暗くしている。
【００６１】
図１２は、第１主観的情報としてユーザの好みの光が間接光であることと、明るさが明るすぎたことが入力されたときの就寝モードにおける第２の照明素子３２及び第３の照明素子３３の明るさに関する制御内容の一例を示している。制御部２０は、例えば、所定のモード（就寝モード）において、第１の照明素子３１及び第２の照明素子３２の少なくとも一方を駆動させ、第３の照明素子３３を駆動させない（消灯する）。ここでは、第１の照明素子３１が消灯させられているため、制御部２０は、第２の照明素子３２を駆動させ、第３の照明素子３３を駆動させない。一例として、制御部２０は、就寝予定時刻の所定時間前（ＰＭ１０：５０）に、第３の照明素子３３を駆動させないようにしている。制御部２０は、第１主観的情報にユーザの好みの光が間接光であることを示す情報が含まれているため、第２の制御内容として、就寝予定時刻の所定時間前（ＰＭ１０：５０）以降に、第３の照明素子３３の明るさを第２の照明素子３２の明るさよりも暗くする。また、第１主観的情報に明るさが明るすぎることを示す情報が含まれているため、制御部２０は、第２の制御内容として、第２の照明素子３２の明るさを第１の制御内容におけるものよりも暗くしている。
【００６２】
図１３は、第１主観的情報としてユーザの好みの光が全般光であることと、明るさが明るすぎたことが入力されたときの就寝モードにおける第２の照明素子３２及び第３の照明素子３３の明るさに関する制御内容の一例を示している。制御部２０は、例えば、所定のモード（就寝モード）において、第１の照明素子３１及び第２の照明素子３２の少なくとも一方を駆動させ、第３の照明素子３３の明るさを徐々に低下させる。ここでは、第１の照明素子３１が消灯させられているため、制御部２０は、第２の照明素子３２を駆動させ、第３の照明素子３３の明るさを徐々に低下させる。一例として、制御部２０は、就寝予定時刻の所定時間前（ＰＭ１０：５０）から、第３の照明素子３３の明るさを徐々に低下させている。制御部２０は、第１主観的情報にユーザの好みの光が全般光であることを示す情報が含まれているため、第２の制御内容として、就寝予定時刻の所定時間前（ＰＭ１０：５０）以降に、第３の照明素子３３の明るさを第２の照明素子３２の明るさよりも明るくする。また、第１主観的情報に明るさが明るすぎることを示す情報が含まれているため、制御部２０は、第２の制御内容として、第２の照明素子３２の明るさを第１の制御内容におけるものよりも暗くしている。
【００６３】
図１４は、第１主観的情報としてユーザの好みの光が全般光であることと、明るさが暗すぎたことが入力されたときの起床モードにおける第２の照明素子３２及び第３の照明素子３３の明るさに関する制御内容の一例を示している。制御部２０は、例えば、所定のモード（起床モード）において、第１の照明素子３１及び第２の照明素子３２の少なくとも一方を駆動させ、第３の照明素子３３の明るさを徐々に上昇させる。ここでは、第１の照明素子３１が消灯させられているため、制御部２０は、第２の照明素子３２を駆動させ、第３の照明素子３３の明るさを徐々に上昇させる。一例として、制御部２０は、起床予定時刻の所定時間前（ＡＭ６：５０）から、第３の照明素子３３の明るさを徐々に上昇させている。制御部２０は、第１主観的情報にユーザの好みの光が全般光であることを示す情報が含まれているため、第２の制御内容として、起床予定時刻の所定時間前（ＡＭ６：５０）以降に、第３の照明素子３３の明るさを第２の照明素子３２の明るさよりも明るくする。また、第１主観的情報に明るさが暗すぎることを示す情報が含まれているため、制御部２０は、第２の制御内容として、第２の照明素子３２の明るさを第１の制御内容におけるものよりも明るくしている。
【００６４】
なお、動作例２では、第１の照明素子３１が消灯させられたが、点灯させられてもよい。また、第１の照明素子３１が点灯させられ、第２の照明素子３２が消灯させられてもよい。
【００６５】
基本的な動作、動作例１及び動作例２では、所定のモードにおける制御内容として照明素子３０の明るさが時刻に応じて変化させられたが、色温度も時刻に応じて変化させられてもよい。以下、照明装置１０の動作例３として、所定のモードにおいて第１の照明素子３１及び第２の照明素子３２の明るさ及び色温度が変化する制御内容で動作させられる例について説明する。なお動作例３では、第３の照明素子３３は消灯させられている。
【００６６】
［照明装置の動作例３］
図１５は、実施の形態に係る照明装置１０の起床モードにおける第１の照明素子３１及び第２の照明素子３２の明るさ及び色温度に関する制御内容の一例を示す図である。具体的には、図１５は、第１主観的情報として、明るさが暗すぎたことが入力されたときの起床モードにおける第１の照明素子３１及び第２の照明素子３２の明るさ及び色温度に関する制御内容の一例を示している。
【００６７】
制御部２０は、第１主観的情報にユーザが目覚めるときの照明素子３０が暗すぎることを示す情報が含まれている場合には、第１の照明素子３１及び第２の照明素子３２のうちの青色成分（例えば４６０ｎｍ〜４８０ｎｍ）が少ない光を出力する照明素子に比べ、青色成分が多い光を出力する照明素子の、第１の制御内容での明るさに対する第２の制御内容での明るさの上昇率を大きくする。例えば、第１の照明素子３１は、第２の照明素子３２に比べ色温度が高い寒色系の光を出力し、第２の照明素子３２は、第１の照明素子３１に比べ色温度が低い暖色系の光を出力する。したがって、青色成分が少ない光を出力する照明素子は第２の照明素子３２であり、青色成分が多い光を出力する照明素子は第１の照明素子３１である。つまり、制御部２０は、第２の照明素子３２に比べ、第１の照明素子３１の第１の制御内容での明るさに対する第２の制御内容での明るさの上昇率を大きくする。図１５の（ａ）に示されるように、第２の照明素子３２の第１の制御内容での明るさに対する第２の制御内容での明るさの上昇率は小さく、第１の照明素子３１の第１の制御内容での明るさに対する第２の制御内容での明るさの上昇率は大きいことがわかる。
【００６８】
また、図１５の（ｂ）〜（ｄ）に示されるように、第１主観的情報にユーザが目覚めるときの照明素子３０が暗すぎることを示す情報が含まれている場合には、第１の照明素子３１及び第２の照明素子３２の色温度を徐々に高くしてもよい。起床予定時刻の所定時間前から照明素子３０の色温度が徐々に高くなる場合、ユーザに快適な目覚めをもたらしやすくなる。また、図示していないが、就寝予定時刻の所定時間前から照明素子３０の色温度が徐々に低くなる場合、ユーザの寝付きを良くしやすくなる。
【００６９】
なお、光の色の鮮やかさも時刻に応じて変化させられてもよい。以下、照明装置１０の動作例４として、所定のモードにおいて第１の照明素子３１及び第２の照明素子３２の彩度が変化する制御内容で動作させられる例について説明する。なお動作例４では、第３の照明素子３３は消灯させられている。
【００７０】
［照明装置の動作例４］
色の鮮やかさを制御内容に反映するために、図１６に示されるように、表示部４２は、ユーザに、第１の制御内容での色の鮮やかさに関する感想を入力させるための表示をしてもよい。
【００７１】
図１６は、実施の形態に係る表示部４２の表示において色の鮮やかさに関する主観的情報を入力できることを示す図である。なお、図１６は、第１の制御内容で第１の照明素子３１及び第２の照明素子３２が動作させられた後の表示部４２の表示を示している。図１６に示される表示には、ユーザが第１主観的情報を入力しやすいように、前主観的情報が表示部４２の上側に含まれている。
【００７２】
ユーザは、図１６において「目覚め」と示される箇所の「鮮やかすぎる」、「くすみすぎる」及び「問題なかった」と書かれたアイコンのいずれかを選択することで、起床モードでの照明素子３０の色の鮮やかさに関する第１の制御内容に対する感想を入力する。同様に、ユーザは、図１６において「お休み前」と示される箇所の「鮮やかすぎる」、「くすみすぎる」及び「問題なかった」と書かれたアイコンのいずれかを選択することで、就寝モードでの照明素子３０の色の鮮やかさに関する第１の制御内容に対する感想を入力する。
【００７３】
また、起床モード及び就寝モードでの照明素子３０の第１の制御内容に対する感想として、照明素子３０が鮮やかすぎるか、くすみすぎるか、問題なかったかだけでなく、さらに、図１６に示されるようにどの程度鮮やかすぎるか又はくすみすぎるかを入力できるようにしてもよい。
【００７４】
次に、例えば起床モードにおける第１の照明素子３１及び第２の照明素子３２の彩度に関する制御内容の例を、図１７を用いて説明する。
【００７５】
図１７は、実施の形態に係る照明装置１０の起床モードにおける第１の照明素子３１及び第２の照明素子３２の彩度に関する制御内容の一例を示す図である。
【００７６】
図１７は、第１主観的情報として、鮮やかさががくすみすぎることが入力されたときの起床モードにおける第１の照明素子３１及び第２の照明素子３２の彩度に関する制御内容の一例を示している。第１主観的情報に鮮やかさががくすみすぎることを示す情報が含まれているため、制御部２０は、第２の制御内容として、第１の照明素子３１及び第２の照明素子３２の明るさを第１の制御内容におけるものよりも鮮やかにしている。
【００７７】
なお、光の明るさが時刻に応じてゆらぐように制御されてもよい。以下、照明装置１０の動作例５として、所定のモードにおいて照明素子３０の明るさが時刻に応じてゆらぐ制御内容で動作させられる例について説明する。
【００７８】
［照明装置の動作例５］
明るさのゆらぎを制御内容に反映するために、図１８に示されるように、表示部４２は、ユーザに、第１の制御内容での明るさのゆらぎに関する感想を入力させるための表示をしてもよい。
【００７９】
図１８は、実施の形態に係る表示部４２の表示において明るさのゆらぎに関する主観的情報を入力できることを示す図である。なお、図１８は、第１の制御内容で照明素子３０が動作させられた後の表示部４２の表示を示している。図１８に示される表示には、ユーザが第１主観的情報を入力しやすいように、前主観的情報が表示部４２の上側に含まれている。
【００８０】
ユーザは、図１８において「目覚め」と示される箇所の「大きすぎる」、「小さすぎる」及び「問題なかった」と書かれたアイコンのいずれかを選択することで、起床モードでの照明素子３０の明るさのゆらぎに関する第１の制御内容に対する感想を入力する。同様に、ユーザは、図１８において「お休み前」と示される箇所の「大きすぎる」、「小さすぎる」及び「問題なかった」と書かれたアイコンのいずれかを選択することで、就寝モードでの照明素子３０の明るさのゆらぎに関する第１の制御内容に対する感想を入力する。
【００８１】
また、起床モード及び就寝モードでの照明素子３０の第１の制御内容に対する感想として、照明素子３０の明るさのゆらぎが大きすぎるか、小さすぎるか、問題なかったかだけでなく、さらに、図１８に示されるようにゆらぎ方のはやさ又は明るさの幅がどの程度大きかったか又は小さかったかをユーザが入力できるようにしてもよい。
【００８２】
次に、照明素子３０の明るさのゆらぎに関する制御内容の例を、図１９を用いて説明する。
【００８３】
図１９は、実施の形態に係る照明装置１０の照明素子３０の明るさのゆらぎに関する制御内容の一例を示す図である。
【００８４】
図１９は、第１主観的情報として、明るさのゆらぎの幅が大きすぎることが入力されたときの照明素子３０の明るさのゆらぎに関する制御内容の一例を示している。第１主観的情報に明るさのゆらぎの幅が大きすぎることを示す情報が含まれているため、制御部２０は、第２の制御内容として、照明素子３０の明るさのゆらぎの幅を第１の制御内容におけるものよりも小さくしている。
【００８５】
なお、光の色が時刻に応じてゆらぐように制御されてもよい。以下、照明装置１０の動作例６として、所定のモードにおいて照明素子３０が出力する光の色が時刻に応じてゆらぐ制御内容で動作させられる例について説明する。
【００８６】
［照明装置の動作例６］
色のゆらぎを制御内容に反映するために、図２０に示されるように、表示部４２は、ユーザに、第１の制御内容での色のゆらぎに関する感想を入力させるための表示をしてもよい。
【００８７】
図２０は、実施の形態に係る表示部４２の表示において色のゆらぎに関する主観的情報を入力できることを示す図である。なお、図２０は、第１の制御内容で照明素子３０が動作させられた後の表示部４２の表示を示している。図２０に示される表示には、ユーザが第１主観的情報を入力しやすいように、前主観的情報が表示部４２の上側に含まれている。
【００８８】
ユーザは、図２０において「目覚め」と示される箇所の「大きすぎる」、「小さすぎる」及び「問題なかった」と書かれたアイコンのいずれかを選択することで、起床モードでの照明素子３０の色のゆらぎに関する第１の制御内容に対する感想を入力する。同様に、ユーザは、図２０において「お休み前」と示される箇所の「大きすぎる」、「小さすぎる」及び「問題なかった」と書かれたアイコンのいずれかを選択することで、就寝モードでの照明素子３０の色のゆらぎに関する第１の制御内容に対する感想を入力する。
【００８９】
また、起床モード及び就寝モードでの照明素子３０の第１の制御内容に対する感想として、照明素子３０の色のゆらぎが大きすぎるか、小さすぎるか、問題なかったかだけでなく、さらに、図２０に示されるようにゆらぎ方のはやさ又は色の幅がどの程度大きかったか又は小さかったかをユーザが入力できるようにしてもよい。
【００９０】
次に、照明素子３０の色のゆらぎに関する制御内容の例を、図２１を用いて説明する。
【００９１】
図２１は、実施の形態に係る照明装置１０の照明素子３０の色のゆらぎに関する制御内容の一例を示す図である。
【００９２】
図２１は、第１主観的情報として、色のゆらぎの幅が大きすぎることが入力されたときの照明素子３０の色（色差：ｘｙ色度図上のｘ座標値の二乗とｙ座標値の二乗との和）のゆらぎに関する制御内容の一例を示している。第１主観的情報に色のゆらぎの幅が大きすぎることを示す情報が含まれているため、制御部２０は、第２の制御内容として、照明素子３０の色のゆらぎの幅を第１の制御内容におけるものよりも小さくしている。
【００９３】
［効果等］
本実施の形態に係る照明装置１０は、本体１１と、本体１１に取り付けられた照明素子３０と、照明設定部４０から照明素子３０を所定のモードで動作させるための指示を受けることで第１の制御内容で照明素子３０を動作させ、次に前記指示を受けることで、照明設定部４０に入力された第１の制御内容に対するユーザの感想を示す第１主観的情報に基づく第２の制御内容で照明素子３０を動作させる制御部２０と、を備える。
【００９４】
これにより、ユーザが第１の制御内容（前回の制御内容）に対する感想を照明設定部４０に入力することで、制御部２０は、ユーザが入力した当該感想を示す第１主観的情報を反映した第２に制御内容で照明素子３０を動作させる。つまり、ユーザは、所定のモードにおいて照明素子３０がユーザ好みの制御内容で動作するようにユーザ自身が細かい設定をする必要がなく、例えば日々体感した制御内容に対する感想を照明設定部４０に入力するだけで、自動的に照明素子３０の制御内容がユーザ好みのものになっていく。このように、照明素子３０の制御内容を容易にユーザ好みのものにすることができる。
【００９５】
また、照明設定部４０は、入力部４１を有し、制御部２０は、入力部４１が予め決められた操作を受けることで、前記指示を照明設定部４０から受ける。
【００９６】
これにより、ユーザは照明装置１０を所定のモードで動作させるために、入力部４１に対する予め決められた操作として、例えば照明設定部４０の決められたボタンの押下や決められたアイコンのタップをする。つまり、ユーザは、所定のモードにおいて照明素子３０がユーザ好みの制御内容で動作するようにユーザ自身が細かい設定をする必要がなく、予め決められた操作をするだけでよい。
【００９７】
また、照明設定部４０は、表示部４２を有し、表示部４２は、制御部２０が照明素子３０を第１の制御内容で動作させた後に、ユーザに第１主観的情報を入力させるための表示をする。
【００９８】
これにより、例えば携帯端末等の照明設定部４０の表示部４２を介して、視覚的に第１主観的情報を入力できる。
【００９９】
また、表示部４２は、制御部２０が照明素子３０を第２の制御内容で動作させた後に、ユーザに第２の制御内容に対するユーザの感想を示す第２主観的情報を入力させるための表示をし、当該表示には、制御部２０が照明素子３０を第１の制御内容で動作させた後に入力された第１主観的情報が含まれる。
【０１００】
これにより、ユーザは、第１主観的情報（前回入力した主観的情報）を確認しながら第２の制御内容（今回体感した制御内容）に対する第２主観的情報（今回入力する主観的情報）を入力することができる。
【０１０１】
また、所定のモードは、ユーザの起床予定時刻前に照明素子３０を特定の制御内容で動作させる起床モード、若しくは、ユーザの就寝予定時刻前に照明素子３０を特定の制御内容で動作させる就寝モード、又は、起床モード及び就寝モードの両方を含むモードである。
【０１０２】
これにより、照明装置１０は、起床モードで動作する際にはユーザに快適な目覚めをもたらすことができ、就寝モードで動作する際にはユーザの寝付きを良くすることができる。
【０１０３】
また、照明素子３０は、本体１１が建築物に取り付けられる方向である背面側を照明する第１の照明素子３１から構成される。
【０１０４】
これにより、第１の照明素子３１が出力する光が建築物（天井又は壁等）で反射することで、間接光を作ることができる。したがって、例えば就寝モードにおいてユーザをリラックスさせることができる。
【０１０５】
また、照明素子３０は、さらに、第２の照明素子３２から構成され、第１の照明素子３１及び第２の照明素子３２は、それぞれ独立して調色可能な照明素子である。
【０１０６】
これにより、朝焼け又は夕暮れのようなグラデーションを作り出すことができる。
【０１０７】
また、第２の照明素子３２は、背面側を照明する。
【０１０８】
これにより、それぞれ独立して調色可能な第１の照明素子３１及び第２の照明素子３２により、間接光を作ることができる。
【０１０９】
また、照明素子３０は、さらに、背面側とは反対の方向である前面側を照明する第３の照明素子３３から構成される。
【０１１０】
これにより、全般光（直接光）を作ることができる。したがって、例えば起床モードにおいてユーザを目覚めさせやすくなる。
【０１１１】
また、制御部２０は、所定のモードにおいて、第１の照明素子３１及び第２の照明素子３２の少なくとも一方を駆動させ、第３の照明素子３３を駆動させない。
【０１１２】
これにより、例えば、就寝モードにおいて、全般光が作られないため、好みの光が間接光のユーザの寝付きが良くなりやすくなる。
【０１１３】
また、制御部２０は、所定のモードにおいて、第１の照明素子３１及び第２の照明素子３２の少なくとも一方を駆動させ、第３の照明素子３３の明るさを徐々に低下させる。
【０１１４】
これにより、例えば、就寝モードにおいて寝室が突然暗くなりにくいため、暗闇が苦手なユーザの寝付きが良くなりやすくなる。
【０１１５】
また、制御部２０は、所定のモードにおいて、第１の照明素子３１及び第２の照明素子３２の少なくとも一方を駆動させ、第３の照明素子３３の明るさを徐々に上昇させる。
【０１１６】
これにより、例えば、起床モードにおいて寝室が突然明るくなりにくいため、ユーザに快適な目覚めをもたらしやすくなる。
【０１１７】
また、制御部２０は、第１主観的情報にユーザの好みの光が間接光であることを示す情報が含まれている場合には、第２の制御内容として、第３の照明素子３３の明るさを、第１の照明素子３１及び第２の照明素子３２の少なくとも一方の明るさよりも暗くする。制御部２０は、第１主観的情報にユーザの好みの光が間接光でないことを示す情報が含まれている場合には、第２の制御内容として、第３の照明素子３３の明るさを、第１の照明素子３１及び第２の照明素子３２の少なくとも一方の明るさよりも明るくする。
【０１１８】
これにより、好みの光が間接光のユーザに対しては、所定のモードにおいて直接光の明るさを暗くでき、好みの光が間接光でないユーザに対しては、所定のモードにおいて直接光の明るさを明るくできる。
【０１１９】
また、制御部２０は、第１主観的情報にユーザが目覚めるときの照明素子３０が暗すぎることを示す情報が含まれている場合には、第１の照明素子３１及び第２の照明素子３２のうちの青色成分が少ない光を出力する照明素子に比べ、青色成分が多い光を出力する照明素子の、第１の制御内容での明るさに対する第２の制御内容での明るさの上昇率を大きくする。
【０１２０】
青色成分が多い光は、人のメラトニンの分泌量を減らす効果、つまり人を覚醒させる効果がある。また、第１主観的情報（前回入力された主観的情報）にユーザが目覚めるときの照明素子３０が暗すぎることを示す情報が含まれている場合とは、ユーザが目覚めるときに覚醒できていない場合であることが多い。したがって、制御部２０は、青色成分が少ない光を出力する照明素子の明るさを第１の制御内容におけるものよりもあまり明るくせず、青色成分が多い光を出力する照明素子の明るさを第１の制御内容におけるものよりも大きく明るくする。これにより、ユーザが目覚めるときにより覚醒させやすくなる。
【０１２１】
本実施の形態に係る照明システム１は、照明装置１０と、照明装置１０に無線又は有線により接続された照明設定部４０と、を備える。
【０１２２】
これにより、照明素子３０の制御内容を容易にユーザ好みのものにすることができる照明システム１を提供できる。
【０１２３】
また、照明設定部４０は、携帯端末である。
【０１２４】
これにより、ユーザは携帯端末を使って手軽に照明素子３０の制御内容を容易にユーザ好みのものにすることができる
（その他の実施の形態）
以上、実施の形態に係る照明装置１０及び照明システム１について説明したが、本発明は、上記実施の形態に限定されるものではない。
【０１２５】
例えば、上記実施の形態では、照明素子３０は、第１の照明素子３１、第２の照明素子３２及び第３の照明素子３３から構成されたが、これに限らない。例えば、照明素子３０は、これらのうちの少なくとも１つから構成されてもよい。
【０１２６】
また、例えば、上記実施の形態では、照明装置１０は、照明素子３０を備えたが、さらに、スピーカーを備えてもよい。これにより、所定のモードにおいて音を出力して、ユーザにより快適な目覚めをもたらしやすくし、ユーザの寝付きをより良くしてもよい。
【０１２７】
また、例えば、上記実施の形態では、制御部２０は、照明設定部４０に入力された第１の制御内容（前回の制御内容）に対するユーザの感想を示す第１主観的情報に基づく第２の制御内容で照明素子３０を動作させたが、これに限らない。例えば、制御部２０は、照明設定部４０に入力された過去の（例えば直近１週間等の）複数の制御内容のそれぞれに対応する複数の主観的情報に基づく制御内容（第２の制御内容）で照明素子３０を動作させてもよい。これにより、制御内容がユーザ好みのものに収束しやすくなる。
【０１２８】
また、例えば、上記実施の形態では、制御部２０は、第１主観的情報に基づく第２の制御内容で照明素子３０を動作させたが、これに限らない。前回の制御内容に対して今回の制御内容が良かったか否かをユーザが日々、主観的情報を照明設定部４０に入力することで、照明素子３０の所定のモードにおける制御内容は、ユーザの好みのものに近づいていく。そして、ユーザの主観的情報の入力がある程度行われると、照明素子３０の所定のモードにおける制御内容は、ユーザの好みのものになり、ユーザは主観的情報を照明設定部４０に入力する必要がなくなる。したがって、照明設定部４０に第１主観的情報が入力されない場合には、制御部２０は、第１の制御内容と同じ制御内容の第２の制御内容で照明素子３０を動作させてもよい。
【０１２９】
また、本発明は、照明装置１０として実現できるだけでなく、照明装置１０を構成する各構成要素が行うステップ（処理）を含む方法として実現できる。
【０１３０】
例えば、それらのステップは、コンピュータ（コンピュータシステム）によって実行されてもよい。そして、本発明は、それらの方法に含まれるステップを、コンピュータに実行させるためのプログラムとして実現できる。さらに、本発明は、そのプログラムを記録したＣＤ−ＲＯＭ等である非一時的なコンピュータ読み取り可能な記録媒体として実現できる。
【０１３１】
例えば、本発明が、プログラム（ソフトウェア）で実現される場合には、コンピュータのＣＰＵ、メモリ及び入出力回路等のハードウェア資源を利用してプログラムが実行されることによって、各ステップが実行される。つまり、ＣＰＵがデータをメモリ又は入出力回路等から取得して演算したり、演算結果をメモリ又は入出力回路等に出力したりすることによって、各ステップが実行される。
【０１３２】
また、上記実施の形態の制御部２０は、専用又は汎用の回路として実現されてもよい。
【０１３３】
また、上記実施の形態の制御部２０は、集積回路（ＩＣ：Ｉｎｔｅｇｒａｔｅｄ  Ｃｉｒｃｕｉｔ）であるＬＳＩ（Ｌａｒｇｅ  Ｓｃａｌｅ  Ｉｎｔｅｇｒａｔｉｏｎ）として実現されてもよい。
【０１３４】
また、集積回路はＬＳＩに限られず、専用回路又は汎用プロセッサで実現されてもよい。プログラム可能なＦＰＧＡ（Ｆｉｅｌｄ  Ｐｒｏｇｒａｍｍａｂｌｅ  Ｇａｔｅ  Ａｒｒａｙ）、又は、ＬＳＩ内部の回路セルの接続及び設定が再構成可能なリコンフィギュラブル・プロセッサが、利用されてもよい。
【０１３５】
さらに、半導体技術の進歩又は派生する別技術によりＬＳＩに置き換わる集積回路化の技術が登場すれば、当然、その技術を用いて、制御部２０の集積回路化が行われてもよい。
【０１３６】
その他、実施の形態に対して当業者が思いつく各種変形を施して得られる形態や、本発明の趣旨を逸脱しない範囲で各実施の形態における構成要素及び機能を任意に組み合わせることで実現される形態も本発明に含まれる。
【符号の説明】
【０１３７】
１  照明システム
１０  照明装置
２０  制御部
３０  照明素子
３１  第１の照明素子
３２  第２の照明素子
３３  第３の照明素子
４０  照明設定部
４１  入力部
４２  表示部
【図１】
2018032565.tif 000003
【図２】
2018032565.tif 000004
【図３】
2018032565.tif 000005
【図４】
2018032565.tif 000006
【図５】
2018032565.tif 000007
【図６】
2018032565.tif 000008
【図７】
2018032565.tif 000009
【図８】
2018032565.tif 000010
【図９】
2018032565.tif 000011
【図１０】
2018032565.tif 000012
【図１１】
2018032565.tif 000013
【図１２】
2018032565.tif 000014
【図１３】
2018032565.tif 000015
【図１４】
2018032565.tif 000016
【図１５】
2018032565.tif 000017
【図１６】
2018032565.tif 000018
【図１７】
2018032565.tif 000019
【図１８】
2018032565.tif 000020
【図１９】
2018032565.tif 000021
【図２０】
2018032565.tif 000022
【図２１】
2018032565.tif 000023